(57)【特許請求の範囲】
【請求項１】
発光色が電球色と昼光色の白色光源と；
緑色および青色を発光する原色光源と；
を具備する照明装置であって、
前記照明装置は、前記白色光源のみを点灯させる制御も可能であるとともに、前記白色光源と前記原色光源とを点灯させる特定のモードを備えるものであり、
前記モードにおける照明光は、前記白色光源のみを点灯させた場合に比べて相関色温度が高くなるように設定されており、点灯パターンが混光比として、原色光が１０〜５６％、電球色と昼光色とを合わせた白色光が４４％〜９０％であり、
この白色光のうち電球色の光の方が昼光色の光よりも低い割合となるように設定されていることを特徴とする照明装置。
【発明の詳細な説明】
【技術分野】
【０００１】
本発明の実施形態は、発光ダイオード（以下、ＬＥＤと称する。）等の発光素子を光源として、照明の光色を変えることができる照明装置に関する。
【背景技術】
【０００２】
近時、ＬＥＤの高出力化、高効率化に伴い、光源としてＬＥＤを用いた屋内又は屋外で使用される長寿命化が期待できる照明装置が開発されている。この照明装置は、ＬＥＤを基板に複数実装して所定の明るさを得るようにしたもので、例えば、天井面等に取付けられるベース照明として用いられている。
【０００３】
一方、生活様式の多様化に伴って、これら照明装置に求められる機能としては、単に、周囲を明るく照らすのみではなく、周囲の環境や光が生体に与える影響等を考慮して、使用者の快適性を充足する等、生活シーンに合わせた適切な光空間を演出することが望まれている。
【０００４】
このため、発光色が昼光色及び電球色のＬＥＤを光源として、これらの明るさと光色を調整して生活シーンに合わせた照明を得るようにしたものが提案されている。
【０００５】
また、発光色の異なる複数のＬＥＤを光源として、この複数の光源の発光強度をそれぞれ調整し、これらの光を混色して色温度を変化させるようにした照明装置が知られている。この照明装置においては、光源として発光色の異なる青色ＬＥＤ、緑色ＬＥＤ及び電球色ＬＥＤを用いて、これらの発光強度を調整するものである。
【０００６】
さらに、光源として発光色の異なる赤色ＬＥＤ、緑色ＬＥＤ及び青色ＬＥＤを用いて、これらの発光強度を調整するものが知られている。
【先行技術文献】
【非特許文献】
【０００７】
【非特許文献１】ＬＥＤシーリングライト「ＥＶＥＲＬＥＤＳ」シリーズを発売｜プレスリリース｜ニュース｜パナソニック企業情報｜panasonic［平成２３年９月５日インターネット検索］（http://panasonic.co.jp/corp/news/official.data/data.dir/jn110126-2/jn110126-2.html）
【特許文献】
【０００８】
【特許文献１】特開２００９−１１７０８０号公報
【特許文献２】特開２０１０−２３８４０７号公報
【発明の概要】
【発明が解決しようとする課題】
【０００９】
しかしながら、上記のような照明装置においては、表現可能な光色の範囲が狭く、すなわち、表現可能な発光スペクトルが乏しく、生活シーンに合わせた適切な光空間を演出することが困難な場合がある。
【００１０】
本発明は、上記課題に鑑みなされたもので、表現可能な光色の範囲を広くすることが可能であるとともに、生活シーンに合わせた適切な光空間を演出することができる照明装置を提供することを目的とする。
【課題を解決するための手段】
【００１１】
本発明の実施形態による照明装置は、発光色が電球色と昼光色の白色光源と；緑色および青色を発光する原色光源と；を具備する照明装置であって、前記照明装置は、前記白色光源のみを点灯させる制御も可能であるとともに、前記白色光源と前記原色光源とを点灯させる特定のモードを備えるものであり、前記モードにおける照明光は、前記白色光源のみを点灯させた場合に比べて相関色温度が高くなるように設定されており、点灯パターンが混光比として、原色光が１０〜５６％、電球色と昼光色とを合わせた白色光が４４％〜９０％であり、この白色光のうち電球色の光の方が昼光色の光よりも低い割合となるように設定されていることを特徴とする。
【発明の効果】
【００１２】
本発明の実施形態によれば、表現可能な光色の範囲を広くすることが可能であるとともに、生活シーンに合わせた適切な光空間を演出することができる照明装置を提供することが可能となる。
【図面の簡単な説明】
【００１３】
【図１】本発明の実施形態に係る照明装置を示す斜視図である。
【図２】同照明装置を示す前面側の分解斜視図である。
【図３】同照明装置において、セード及び光源部カバーを取外して示す平面図である。
【図４】同照明装置を示す背面側の斜視図である。
【図５】同照明装置を天井面に取付けた状態を示す断面図である。
【図６】同照明装置を示すブロック図である。
【図７】発光素子の発光スペクトルを示すグラフである。
【図８】「あざやか」モードの評価結果を示す色度座標図である。
【図９】「勉強」モードの評価結果を示すグラフである。
【図１０】「ヒーリング」モードの評価結果を示すグラフである。
【図１１】「シアター」モードの評価結果を示すグラフである。
【発明を実施するための形態】
【００１４】
以下、本発明の実施形態について図１乃至図１１を参照して説明する。図１乃至図６は、照明装置を示し、図７は、発光素子の発光スペクトルを示し、図８乃至図１１は、光の評価結果を示している。各図においてリード線等による配線接続関係は省略して示している。なお、同一部分には同一符号を付し、重複した説明は省略する。
【００１５】
本実施形態の照明装置は、装置取付面に設置された配線器具としての引掛けシーリングボディに取付けられて使用される一般住宅用のものであり、基板に実装された複数の発光素子を有する光源部から放射される光によって室内の照明を行うものである。
【００１６】
照明装置は、装置本体１と、光源部２と、点灯装置３と、センター部材４と、取付部５とを備えている。さらに、照明装置は、光センサ６と、セード７と、カバー部材８と、間接光光源部９と、補助部品ユニット１０とを備えている。また、装置取付面としての天井面Ｃに設置された引掛けシーリングボディＣｂに電気的かつ機械的に接続されるアダプタＡ（図５参照）と赤外線リモコン送信器Ｒｃとを備えている。このような照明装置は、丸形の円形状の外観に形成され、前面側を光の照射面とし、背面側を天井面Ｃへの取付面としている。これらの構成要素について順次説明する。
【００１７】
図２乃至図５に示すように、装置本体１は、冷間圧延鋼板等の金属材料の平板から円形状に形成された熱伝導性を有するシャーシであり、略中央部に、後述する取付部５が配置される円形状の開口１１が形成されている。この開口１１は、円形状の一部が外方に突出して取付部５の外形と略等しい形状に形成されている。
【００１８】
開口１１の外周側には、四角形状で角部がＲ形状をなし、背面側へ突出した突出部１２が形成されている。また、装置本体１の外周側には、背面側に突出、換言すれば、前面側に凹部を形成する円形環状の突出部１３が形成されている。
【００１９】
突出部１３によって形成される凹部には、セード７が着脱可能に取付けられるセード受金具７５が配置されている。これら突出部１２、１３は、主としてシャーシに取付けられる部材の取付部として機能し、また、シャーシの強度を補強する機能や放熱面積を増加する機能を有している。
【００２０】
なお、装置本体１は、本実施形態においては、シャーシが該当するが、ケース、反射板やベースと指称されるものであってもよい。一般的には、光源部２が直接的又は間接的に配設される部材や部分を意味しており、格別限定的に解釈されるものではない。
【００２１】
光源部２は、図２、図３及び図５に示すように、基板２１と、この基板２１に実装された複数の発光素子２２とを備えている。なお、図２においては、発光素子２２の図示を省略している。基板２１は、所定の幅寸法を有した略円弧状の４枚の基板２１が繋ぎ合わされるように配設されて全体として略サークル状に形成されている。つまり、全体として略サークル状に形成された基板２１は、４枚の分割された基板２１から構成されている。
【００２２】
このように分割された基板２１を用いることにより、基板２１の分割部で熱的収縮を吸収して基板２１の変形を抑制することができる。なお、複数に分割された基板２１を用いることが好ましいが、略サークル状に一体的に形成された一枚の基板を用いるようにしてもよい。
【００２３】
基板２１は、絶縁材であるガラスエポキシ樹脂（ＦＲ−４）の平板からなり、表面側には銅箔によって配線パターンが形成されている。発光素子２２は、この配線パターンに電気的に接続されるようになっている。また、配線パターンの上、つまり、基板２１の表面には反射層として作用する昼光色のレジスト層が施されている。
【００２４】
なお、基板２１の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用できる。
【００２５】
発光素子２２は、ＬＥＤであり、表面実装型のＬＥＤパッケージである。このＬＥＤパッケージが複数個サークル状の基板２１の周方向に沿って、複数列、本実施形態では、半径の異なる略同心円の周上に３列に亘って実装されている。つまり、内周側の列、外周側の列及び、これら内周側の列と外周側の列との中間の列に亘って実装されている。
【００２６】
ＬＥＤパッケージは、概略的にはセラミックスや合成樹脂で形成されたキャビティに配設されたＬＥＤチップと、このＬＥＤチップを封止するエポキシ系樹脂やシリコーン樹脂等のモールド用の透光性樹脂とから構成されている。
【００２７】
内周側の列及び外周側の列に実装されているＬＥＤパッケージには、発光色が電球色（Ｌ）のものと昼光色（Ｄ）のものとが用いられており、これらが円周上に略等間隔を空けて交互に並べられて配設されている。ＬＥＤチップは、青色光を発光するＬＥＤチップである。透光性樹脂には、蛍光体が混入されており、電球色（Ｌ）、昼光色（Ｄ）の昼光色系の光を出射できるようにするために、主として青色の光とは補色の関係にある黄色系の光を放射する黄色蛍光体や赤み成分を補うため赤色蛍光体が用いられている。
【００２８】
中間の列に実装されているＬＥＤパッケージには、赤色（Ｒ）、緑色（Ｇ）、青色（Ｂ）に発光するものが用いられている。したがって、ＬＥＤチップは、それぞれ赤色、緑色、青色の光に発光するＬＥＤチップであり、これらＬＥＤチップがモールド用の透光性樹脂によって封止されている。
【００２９】
中間の列に実装されている赤色（Ｒ）、緑色（Ｇ）、青色（Ｂ）に発光するＬＥＤパッケージは、略円周上に順次、赤色（Ｒ）、緑色（Ｇ）、青色（Ｂ）と連続的に略等間隔を空けて配置されている。
【００３０】
より詳しくは、これら発光色の異なる赤色（Ｒ）、緑色（Ｇ）、青色（Ｂ）に発光するＬＥＤパッケージは、発光色ごとに僅かながら半径寸法の異なる略同心円上であって、周方向の位置をずらせて実装されている。
【００３１】
このような発光素子２２は、図７に示すような発光スペクトルの特性を有するものが用いられている。図７は、発光スペクトルを示すグラフであり、横軸は、波長（ｎｍ）を示し、縦軸は、比エネルギー（％）を示している。
【００３２】
図に示すように、具体的には、赤色（Ｒ）光を発光する発光素子２２は、その光のピーク波長が６２０ｎｍ〜６４０ｎｍ、半値全幅が１０ｎｍ〜３０ｎｍのものが用いられ、緑色（Ｇ）光を発光する発光素子２２は、その光のピーク波長が５１０ｎｍ〜５３０ｎｍ、半値全幅が４０ｎｍ〜６０ｎｍのものが用いられ、青色（Ｂ）光を発光する発光素子２２は、その光のピーク波長が４４０ｎｍ〜４７０ｎｍ、半値全幅が１０ｎｍ〜３０ｎｍのものが用いられている。
【００３３】
また、電球色（Ｌ）の光を発光する発光素子２２は、その蛍光体由来の蛍光のピーク波長が５５０ｎｍ〜６５０ｎｍ、半値全幅が１００ｎｍ〜２００ｎｍのものが用いられ、昼光色（Ｄ）の光を発光する発光素子２２は、その蛍光体由来の蛍光のピーク波長が５００ｎｍ〜６００ｎｍ、半値全幅が１００ｎｍ〜２００ｎｍのものが用いられている。
【００３４】
ここで、電球色（Ｌ）の光を発光する発光素子２２の場合は、青色光を発光するＬＥＤチップからピーク波長が４４０ｎｍ〜４７０ｎｍ、半値全幅が１０ｎｍ〜３０ｎｍの青色光が出射され、また、この青色光によって励起された蛍光体から蛍光が出射される。これら光が混色され電球色（Ｌ）の光が出射されるようになる。
【００３５】
昼光色（Ｄ）の光を発光する発光素子２２の場合は、同様に、青色光を発光するＬＥＤチップからピーク波長が４４０ｎｍ〜４７０ｎｍ、半値全幅が１０ｎｍ〜３０ｎｍの青色光が出射され、また、この青色光によって励起された蛍光体から蛍光が出射される。ピーク波長が５００ｎｍ〜６００ｎｍ、半値全幅が１００ｎｍ〜２００ｎｍのこれらの光が混色され、昼光色（Ｄ）の光が出射されるようになる。
【００３６】
なお、ＬＥＤパッケージにおける赤色（Ｒ）、緑色（Ｇ）、青色（Ｂ）の配列は、特定
【００３７】
されず順不同でよく、例えば、緑色（Ｇ）、赤色（Ｒ）、青色（Ｂ）の順に配列してもよい。また、隣接するＬＥＤパッケージは、異なる発光色のものを配置するのが好ましいが、格別限定されるものではない。一例としては、赤色（Ｒ）、赤色（Ｒ）、緑色（Ｇ）、緑色（Ｇ）、青色（Ｂ）、青色（Ｂ）のように同色を２個ずつ連続的に配置することも可能である。
【００３８】
このように半径の異なる略同心円の周上に列をなして電球色（Ｌ）、昼光色（Ｄ）に発光する複数の発光素子２２が配設され、前記円と略中心を同じくする円の周上であって、前記電球色（Ｌ）、昼光色（Ｄ）に発光する発光素子２２の列間に列をなして赤色（Ｒ）、緑色（Ｇ）、青色（Ｂ）に発光する複数の発光素子２２が配設されている。
【００３９】
したがって、前記発光スペクトルの特性を有する発光色の異なる複数の発光素子２２、すなわち、電球色（Ｌ）、昼光色（Ｄ）、赤色（Ｒ）、緑色（Ｇ）、青色（Ｂ）に発光する発光素子２２が配設されているので、これらが混光されることにより表現可能な光色の範囲が広く、発光素子２２の光出力を調整することにより光色を適切に調色することが可能となる。
【００４０】
なお、ＬＥＤは、ＬＥＤチップを直接基板２１に実装するようにしてもよく、また、砲弾型のＬＥＤを実装するようにしてもよく、実装方式や形式は、格別限定されるものではない。
【００４１】
このように構成された光源部２は、図３及び図５に代表して示すように、基板２１が装置本体１の前面側であって開口１１の周囲に位置して、発光素子２２の実装面が前面側、すなわち、下方の照射方向に向けられて配設されている。また、基板２１の裏面側が装置本体１の内面側に密着するように例えば、ねじ等の固定手段によって取付けられている。したがって、基板２１は、装置本体１と熱的に結合され、基板２１からの熱が裏面側から装置本体１に伝導され放熱されるようになっている。
【００４２】
図２及び図５に示すように、光源部２の前面側には、光源部カバー２５が配設されている。光源部カバー２５は、例えば、ポリカーボネートやアクリル樹脂等の絶縁性を有する
【００４３】
透明合成樹脂からなり、前記発光素子２２の配置に沿って略サークル状に一体的に形成されていて、発光素子２２を含めて基板２１の全面を覆うように配設されている。
【００４４】
したがって、発光素子２２から出射される光は、光源部カバー２５を透過するようになる。また、基板２１の全面を覆うようになっているので、充電部が光源部カバー２５によって覆われ絶縁性が確保される。
【００４５】
点灯装置３は、図５に示すように、回路基板と、この回路基板に実装された制御用ＩＣ、トランス、コンデンサ等の回路部品とを備えている。回路基板は、中央部の周囲を囲むように板状に形成されていて、その表面側に回路部品が実装されている。
【００４６】
回路基板には、アダプタＡ側が電気的に接続されて、アダプタＡを介して商用交流電源に接続される。したがって、点灯装置３は、この交流電源を受けて直流出力を生成し、リード線を介してその直流出力を発光素子２２に供給し、発光素子２２を点灯制御するようになっている。
【００４７】
このような点灯装置３は、図４の参照を加えて示すように、点灯装置カバー３５に取付けられ覆われて、装置本体１の背面側に配置されるようになる。この場合、回路基板は、回路部品が前面側（図示上、下方側）に向けられて取付けられる。
【００４８】
点灯装置カバー３５は、冷間圧延鋼板等の金属材料によって略四角形の短筒状に形成され、側壁３５ａは、前面側に向かって拡開するように傾斜状をなしており、背面壁３５ｂの中央部には、開口３５ｃが形成されている。
【００４９】
この点灯装置カバー３５は、図４及び図５に示すように、前面側のフランジがシャーシの突出部１２に載置され、ねじ止めされて取付けられる。
【００５０】
また、点灯装置カバー３５の背面側には、弾性部材３６が取付けられている。弾性部材３６は、前記複数の各間接光光源部９の取付位置に対応して、その近傍に取付けられている。弾性部材３６は、照明装置が装置取付面としての天井面Ｃに取付けられた状態において、天井面Ｃとの間に弾性変形を伴って介在するように配設される部材であり、照明装置を天井面Ｃに確実に保持する作用をなしている。
【００５１】
センター部材４は、図２、図３及び図５に示すように、ＰＢＴ樹脂等の合成樹脂材料で作られ、略短円筒状に形成されており、中央部に引掛けシーリングボディＣｂに対向する開口４１を有している。また、開口４１の周囲には、環状の空間部４２が形成されていて、この空間部４２には、後述する光センサ６が配設されるようになっている。さらに、センター部材４の前面壁には、光センサ６の受光部と対向する受光窓４３が形成されている。
【００５２】
このように構成されたセンター部材４は、主として図５に示すように、背面側のフランジが光源部カバー２５を介してシャーシにねじ止めされて取付けられている。なお、センター部材４は、シャーシに直接的又は間接的に取付けることができ、その具体的な取付構成が限定されるものではない。
【００５３】
取付部５は、アダプタガイドであり、アダプタＡが挿通し係合する部材であり、照明装置を天井面Ｃに取付けるための部材である。アダプタガイドは、図５に示すように、略円筒状に形成され、中央部には、アダプタＡが挿通し、係合する係合口５１が設けられている。このアダプタガイドは、本体１の中央部に形成された開口１１に対応して配設されている。
【００５４】
なお、取付部５は、必ずしもアダプタガイド等と指称される部材である必要はない。例えば、装置本体１等に形成される開口であってもよく、要は、配線器具としての引掛けシーリングボディＣｂに対向し、アダプタＡが係合される部材や部分を意味している。
【００５５】
光センサ６は、図５に示すように、基板に実装され、その受光部が受光窓４３に対向するようにセンター部材４の空間部４２内に配設され取付けられている。光センサ６は、照度センサであり、フォトダイオード等のセンサ素子からなっていて、周囲の明るさを検知して検出信号を出力するように動作する。これにより、周囲が明るい場合には、光源部２、すなわち、発光素子２２を調光（減光）して点灯するように制御する。
【００５６】
セード７は、アクリル樹脂等の透光性を有し、乳昼光色を呈する拡散性を備えた材料から略円形状に形成されており、中央部には円形状の開口７１が形成されている。また、セード７の外周部には、セード化粧枠７ａが取付けられていて、このセード化粧枠７ａは、アクリル樹脂等からなる透明材料から形成されている。
【００５７】
そして、セード７は、光源部２を含めた本体１の前面側を覆うように本体１の外周縁部に着脱可能に取付けられるようになっている。具体的には、セード７を回動することによって、セード７に設けられたセード取付金具７４を、装置本体１の突出部１３によって形成された凹部に設けられたセード受金具７５に係合することにより取付けられる。
【００５８】
また、セード７を取外す場合には、セード７を取付時とは反対方向に回動して、セード取付金具７４とセード受金具７５との係合を解くことにより、取外すことができる。
【００５９】
カバー部材８は、透明のアクリル樹脂等の材料から円形状に形成されている。このカバー部材８は、セード７の開口７１に対応し、センター部材４の前面壁に取付けられて、センター部材４の開口４１を覆って閉塞するように配設される。また、カバー部材８には、光センサ６の受光窓４３と対向する透過部８１が形成されている。
【００６０】
間接光光源部９は、装置本体１の背面側に配設されていて、主として天井面を明るく照らす機能を有している。図４及び図５に示すように、間接光光源部９は、取付部５の周囲に位置して複数個配設されており、基板９１と、この基板９１に実装された複数の発光素子９２とを備えている。
【００６１】
基板９１は、略長方形状の平板に形成されており、発光素子９２は、この基板９１の長手方向に沿って直線状に並べられて実装されている。
【００６２】
この発光素子９２が実装された基板９１が前記点灯装置カバー３５の側壁３５ａにおける４箇所に取付けられている。この場合、点灯装置カバー３５は、略四角形に形成されており、基板９１は、その側壁３５ａにおける直線状の平坦面に取付けられているので、取付けが安定的に行われることとなる。
【００６３】
また、基板９１の取付部をなす側壁３５ａは、前面側に向かって拡開する傾斜状に形成されているため、基板９１は、斜め上方、つまり、天井面方向に向けられることとなり、発光素子９２から出射される光は、天井面方向に向かって効果的に照射されるようになる。
【００６４】
さらに、各間接光光源部９は、断面が背面側へ向かって拡開するような傾斜状に形成された透光性のカバー９３に覆われるようになっている。
【００６５】
発光素子９２は、前記光源部２と同様に、ＬＥＤであり、表面実装型のＬＥＤパッケージであって、発光色が電球色（Ｌ）のものが用いられている。そして、発光素子９２は、前記光源部２の電球色（Ｌ）の光を発光する発光素子２２と同様な発光スペクトルの特性を有している。この発光素子９２は、点灯装置３に接続されて点灯制御されるようになっている。
【００６６】
補助部品ユニット１０は、図２、図３及び図５に示すようにユニット基板１０１及びこの基板１０１に実装された複数の電気的補助部品を備えて構成されている。本実施形態における電気的補助部品は、赤外線リモコン信号受信部１０２、常夜灯用の発光素子１０３やチャンネル設定スイッチ１０４等である。この補助部品ユニット１０は、装置本体１の前面側であって光源部２の内側に配設されている。
【００６７】
アダプタＡは、図５に示すように、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設けられている。この係止部Ａ1は下面側に設けられたレバーを操作することにより没入するようになっている。また、このアダプタＡからは、前記点灯装置３へ接続する図示しない電源コードが導出されていて、点灯装置３とコネクタを介して接続されるようになっている。
【００６８】
赤外線リモコン送信器Ｒｃは、例えば、周波数３８ｋＨｚのパルス状の特定のコード化された赤外線リモコン制御信号を送信するもので、例えば、モード切替えボタン、全光点灯ボタン、調光点灯ボタン、常夜灯ボタンや消灯ボタン等が設けられている。このリモコン送信器Ｒｃを補助部品ユニット１０、すなわち、赤外線リモコン信号受信部１０２に向けて操作することによって光源部２及び間接光光源部９の照明状態を制御することができる。
【００６９】
次に、図６を参照して本実施形態に係る照明装置の概略のブロック構成について説明する。図に示すように、商用交流電源ＡＣに接続された点灯装置３と、この点灯装置３に接続された光源部２及び間接光光源部９と、制御手段３１とから構成されている。
【００７０】
点灯装置３は、直流電源として機能するもので、商用交流電源ＡＣを受けて直流出力を生成する。光源部２は、前記したように基板２１に実装されて接続された電球色（Ｌ）、昼光色（Ｄ）、赤色（Ｒ）、緑色（Ｇ）、青色（Ｂ）に発光する５色の発光色の異なる発光素子２２を備えている。また、間接光光源部９は、電球色（Ｌ）に発光する発光素子９２を備えている。
【００７１】
制御手段３１は、設定情報入出力部３２と、この設定情報入出力部３２に接続された調光制御手段３３及び記憶手段３４とを備えており、設定情報入出力部３２には、赤外線リモコン信号受信部１０２が接続されている。なお、記憶手段３４には、モード記憶部３４１が設けられている。
【００７２】
調光制御手段３３には、ＰＷＭ制御回路３３１及びこのＰＷＭ制御回路３３１に接続されたスイッチング制御回路３３２が設けられている。このＰＷＭ制御回路３３１及びスイッチング制御回路３３２は、前記光源部２の電球色（Ｌ）、昼光色（Ｄ）、赤色（Ｒ）、緑色（Ｇ）、青色（Ｂ）に発光する５色の発光色の発光素子２２及び間接光光源部９の電球色（Ｌ）に発光する発光素子９２にそれぞれ対応して６個設けられている。これにより、光源部２と間接光光源部９とを独立して制御可能であるとともに、発光色ごとの調光制御が可能となっている。したがって、光源部２については、発光色ごとの調光比を調整して発光色ごとの光出力を可変し、電球色（Ｌ）、昼光色（Ｄ）、赤色（Ｒ）、緑色（Ｇ）、青色（Ｂ）の発光色を混色して所望の発光色を表現することができる。
【００７３】
このような構成において、生活シーンに合わせた光空間を演出するため、複数の点灯モード、すなわち、６つの点灯モードの内から所望のモードを選択して切替えて照明できるようになっている。具体的には、発光素子２２、９２において、発光色ごとの光出力が調整された６つのモード設定情報（点灯パターン情報）がモード記憶部３４１に格納されている。このモードを赤外線リモコン送信器Ｒｃによって選択し、点灯パターンを再現することができる。
【００７４】
例えば、「あざやか」「勉強」「おやすみ」「くつろぎ」「シアター」「ヒーリング」の６つのモードが設定されている。
【００７５】
「あざやか」モードは、電球色（Ｌ）、昼光色（Ｄ）、赤色（Ｒ）、緑色（Ｇ）、青色（Ｂ）の発光色を混色し、平均演色評価Ｒａ８８と色の再現性の高い演色性に優れた昼光色系の光を表現して、食卓や色彩を鮮やかにきれいに見せるものである。
【００７６】
「勉強」モードは、一般に文字が識別しやすい相関色温度の高い（５１００Ｋ）昼白色系の光であり、緑色（Ｇ）、青色（Ｂ）の光成分を加えることにより集中力に効果的な光を創出するものである。
【００７７】
「おやすみ」モードは、緑色（Ｇ）の光を表現するものである。緑色（Ｇ）の光は、他の光色に比べ、まぶたを透過しにくい光のため、隣に寝ている人をまぶしさで起こさないようにしながら、夜間のちょっとした作業を可能とするものである。
【００７８】
「くつろぎ」モードは、光源部２による電球色（Ｌ）の下向きの光と、間接光光源部９による電球色（Ｌ）の上向きの光との組み合わせにより、空間全体を電球色（Ｌ）のやわらかい光で照らし、落ち着きのあるくつろぎ空間を演出するものである。
【００７９】
「シアター」モードは、間接光光源部９による電球色（Ｌ）の上向きの光のみによる照明である。天井面を照らすことができ、映画館の臨場感を演出し、ホームシアターを楽しむ光空間を創出するものである。
【００８０】
「ヒーリング」モードは、水と光を連想するようなマリンブルー系の光を表現して、やすらぎや癒しのリラックス空間を創出するものである。
【００８１】
具体的には、「あざやか」モードの場合は、点灯パターンが混光比（光束比）として赤色（Ｒ）光が２〜３２％、緑色（Ｇ）光が５〜６２％、青色（Ｂ）光が０．５〜６％、電球色（Ｌ）の光と昼光色（Ｄ）の光を合わせた光が０〜９２．５％であり、その内訳は、電球色（Ｌ）の光が４０〜５０％、昼光色（Ｄ）の光が５０〜６０％の割合となるように設定されている。
【００８２】
「勉強」モードの場合は、点灯パターンが混光比（光束比）として赤色（Ｒ）光が０％、緑色（Ｇ）光が８〜４３％、青色（Ｂ）光が２〜１３％、電球色（Ｌ）の光と昼光色（Ｄ）の光を合わせた光が４４％〜９０％であり、その内訳は、電球色（Ｌ）の光が３０〜４０％、昼光色（Ｄ）の光が６０〜７０％の割合となるように設定されている。
【００８３】
また、「ヒーリング」モードの場合は、点灯パターンが混光比（光束比）として赤色（Ｒ）光が０％、緑色（Ｇ）光が９０〜９５％、青色（Ｂ）光が５〜１０％、電球色（Ｌ）の光及び昼光色（Ｄ）の光が０％の割合となるように設定されている。
【００８４】
このように設定されたモードを再現する場合には、赤外線リモコン送信器Ｒｃを操作して、特定のモードを選択する。このモード選択信号が赤外線リモコン信号受信部１０２で受信されると、その信号が設定情報入出力部３２に送信される。設定情報入出力部３２では、モード記憶部３４１から選択されたモード設定情報（点灯パターン情報）を読み出し、これを調光制御手段３３に送信する。
【００８５】
調光制御手段３３におけるＰＷＭ制御回路３３１では、モード設定情報に基づいてＰＷＭ制御信号を生成してスイッチング制御回路３３２へ送出する。スイッチング制御回路３３２では、点灯装置３からの直流出力をＰＷＭ制御信号に基づいてＰＷＭ制御し、光源部６、すなわち、電球色（Ｌ）、昼光色（Ｄ）、赤色（Ｒ）、緑色（Ｇ）、青色（Ｂ）の各色の発光素子２２及び間接光光源部９の電球色（Ｌ）の発光素子９２に供給する。これによって、モード設定情報に従った調光比で各色の発光素子２２、９２が発光色ごとに制御されて所定の混光比で発光され、全体として混色した発光色が表現されるようになる。
【００８６】
次に、照明装置の天井面Ｃへの取付状態について図５を参照して説明する。まず、予め天井面Ｃに設置されている引掛けシーリングボディＣｂにアダプタＡを電気的かつ機械的に接続する。照明装置のカバー部材８を取外した状態において、アダプタガイドの係合口５１をアダプタＡに合わせながら、アダプタＡの係止部Ａ1がアダプタガイドの係合口５１に確実に係合するまで装置本体１を弾性部材３６の弾性力に抗して下方から手で押し上げて取付け操作を行う。
【００８７】
次いで、カバー部材８を取付け、引掛けシーリングボディＣｂに対向するセンター部材４の中央部の開口４１を覆って閉塞する。
【００８８】
また、照明装置を取外す場合には、カバー部材８を取外し、センター部材４の開口４１を通じてアダプタＡに設けられているレバーを操作してアダプタＡの係止部Ａ1の係合を解くことにより取外すことができる。
【００８９】
次に、このような照明装置を設計するにあたって、各種評価した結果について図８乃至図１１を参照して説明する。
【００９０】
（評価結果１）図８に示すように、演色性を評価したものである。図８は、ａ＊ｂ＊色度座標図を示しており、ＪＩＳ演色評価試験色Ｎｏ.１〜Ｎｏ.８を「あざやか」モードの光と電球色（Ｌ）、昼光色（Ｄ）の発光素子のみ点灯させた光で照らしたときの見え方を比較している。
【００９１】
評価試験色Ｎｏ．１〜Ｎｏ．８を光源で照らしたときの色度点を線分で結ぶと八角形ができるが、この八角形が外側に広がるほど鮮やかに見えることになる。「あざやか」モードの光と電球色（Ｌ）、昼光色（Ｄ）の発光素子のみ点灯させた光によって形成される八角形を比較すると、「あざやか」モードの光の方が、電球色、昼光色の発光素子のみ点灯させた光よりも八角形が外側に広がっていることがわかる。
【００９２】
したがって、電球色（Ｌ）、昼光色（Ｄ）の発光素子のみ点灯させた光で照らすよりも「あざやか」モードの光で照らした方が鮮やかな見え方をすることが確認できる。
【００９３】
この「あざやか」モードの光は、電球色（Ｌ）、昼光色（Ｄ）の発光素子からの発光に対して、赤色（Ｒ）、緑色（Ｇ）、青色（Ｂ）の発光素子からの発光を７％程度以上混色することにより、電球色（Ｌ）、昼光色（Ｄ）の発光素子からの発光だけのときよりも食品を鮮やかに見せるように設計されている。
【００９４】
（評価結果２）図９（ａ）（ｂ）（ｃ）に示すように計算問題を解く際の意識についての評価を示すものである。図９（ａ）は、被験者が計算問題を解いた際のミス回答数を示している。図９（ｂ）は、計算問題を解く際、明瞭な意識で作業できたか否かを示し、図９（ｃ）は、集中して作業できたか否かを示している。
【００９５】
ここで、条件１とは、１回目に電球色（Ｌ）、昼光色（Ｄ）の発光素子のみ点灯させた光、２回目も同様に電球色（Ｌ）、昼光色（Ｄ）の発光素子のみ点灯させた光で照明した場合、条件２とは１回目に電球色（Ｌ）、昼光色（Ｄ）の発光素子のみ点灯させた光、２回目に「勉強」モードの光で照明した場合である。
【００９６】
図９（ａ）において、横軸は、回数を示し、縦軸は、ミス回答数の平均を示している。
【００９７】
この結果、「勉強」モードの光で照明した場合には、ミス回答数が減少し、効果的に作用することが分かる。
【００９８】
また、同様に、図９（ｂ）（ｃ）で示す明瞭な意識、集中して作業できたか否かについても「勉強」モードの光で照明した場合には、評価が向上することが分かる。
【００９９】
なお、文字の読みやすさに関しても文字が読みやすいと評価した被験者が電球色（Ｌ）、昼光色（Ｄ）の発光素子のみ点灯させた光では２０％、「勉強」モードの光では６０％
【０１００】
であった。「勉強」モードの光は、電球色（Ｌ）、昼光色（Ｄ）の光に対して緑色（Ｇ）、青色（Ｂ）の光を１０％程度以上混色し、明るさを電球色（Ｌ）と昼光色（Ｄ）の発光素子を全点灯させたときと同等の光出力とすることにより実現している。
【０１０１】
（評価結果３）図１０は、赤色、黄色、緑色、青緑色、青色、紫色の６つの光色を被験者に提示し、リラックス効果の高い順に３位まで順位をつけさせた評価の結果を示している。図中、横軸は、点数の平均値を示し、縦軸は、各光色を示している。
【０１０２】
１位に選ばれた光色を３点、２位を２点、３位を１点、それ以外を０点と換算したときの８人の被験者の平均値を示している。その結果、青緑色が最もリラックス効果が高いという結果が得られている。
【０１０３】
したがって、「ヒーリング」モードは、青緑光として、緑色（Ｇ）光を９５％、青色（Ｂ）光を５％混色し、明るさを電球色（Ｌ）と昼光色（Ｄ）の発光素子を全点灯させたときの０．０３８倍程度の光出力とすることにより実現している。
【０１０４】
（評価結果４）図１１は、光源部２における電球色（Ｌ）の発光素子２２と間接光光源部９における電球色（Ｌ）の発光素子９２の点灯下で、被験者にビデオを視聴させ、テレビを見る際に適している適切な光環境かどうかを回答させた評価の結果を示している。
【０１０５】
光源部２における電球色（Ｌ）の光と間接光光源部９における電球色（Ｌ）の光は同等の光出力となるように点灯させている。
【０１０６】
その結果、光源部２における電球色（Ｌ）の直接光よりも間接光光源部９における電球色（Ｌ）の間接光で電球色（Ｌ）の発光素子９２を点灯させたほうがテレビ視聴の際に適していることが分かる。この結果は、「シアター」モードとして実現されている。
【０１０７】
照明装置の天井面Ｃへの取付状態において、点灯装置３に電力が供給されると、光源部２における基板２１を介して発光素子２２に通電され、各発光素子２２が点灯する。発光素子２２から前面側へ出射された光は、光源部カバー２５を透過し、セード７によって拡散され透過して外方へ照射される。したがって、所定の配光範囲で下方が照明されるようになる。
【０１０８】
これと同時に、間接光光源部９に通電されると、各発光素子９２が点灯し、発光素子９２から斜め上方に出射された光は、透光性のカバー９３を透過し、アダプタガイド５の周囲から放射されるように、主として天井面に照射される。したがって、天井面が明るくなり、空間の明るさ感を向上させることができる。
【０１０９】
また、複数のモードを再現することにより、生活シーンに合わせた適切な光空間を演出することが可能となる。
【０１１０】
発光素子２２から発生する熱は、基板２１の裏面側が装置本体１と熱的に結合しているため、装置本体１に効果的に伝導され、広い面積で放熱されるようになる。
【０１１１】
以上のように本実施形態によれば、前記発光スペクトルの特性を有する電球色（Ｌ）、昼光色（Ｄ）、赤色（Ｒ）、緑色（Ｇ）、青色（Ｂ）に発光する５色の発光色の異なる発光素子２２が用いられ、これら発光素子２２の光出力が調整された複数のモードを有しているので、表現可能な光色の範囲を広くすることが可能であるとともに、生活シーンに合わせた適切な光空間を演出することができる照明装置を提供することが可能となる。
【０１１２】
なお、本発明は、上記実施形態の構成に限定されることなく、発明の要旨を逸脱しない範囲で種々の変形が可能である。また、上記実施形態は、一例として提示したものであり、発明の範囲を限定することは意図していない。
【符号の説明】
【０１１３】
１・・・装置本体（シャーシ）、２・・・光源部、
３・・・点灯装置、４・・・センター部材、
５・・・取付部（アダプタガイド）、６・・・光センサ、
７・・・セード、８・・・カバー部材、
９・・・間接光光源部、１０・・・補助部品ユニット、
２１・・・基板、２２・・・発光素子（ＬＥＤ）、
２５・・・光源部カバー、３１・・・制御手段、
３２・・・設定情報入力部、３３・・・調光制御手段、
３４・・・記憶手段、９２・・・間接光光源部の発光素子、
１０２・・・赤外線リモコン信号受信部、３４１・・・モード記憶部、
Ａ・・・アダプタ、Ｃ・・・装置取付面（天井面）、Ｃｂ・・・配線器具（引掛けシーリングボディ）、Ｒｃ・・・赤外線リモコン送信器
【図１】
0006041167.tif 000002
【図２】
0006041167.tif 000003
【図３】
0006041167.tif 000004
【図４】
0006041167.tif 000005
【図５】
0006041167.tif 000006
【図６】
0006041167.tif 000007
【図７】
0006041167.tif 000008
【図８】
0006041167.tif 000009
【図９】
0006041167.tif 000010
【図１０】
0006041167.tif 000011
【図１１】
0006041167.tif 000012